(57)【要約】【課題】構成要素である複数のコンテンツ記述ツールから必要な一部または全部のツールを選び出してコンテンツ検索システムを構築する際に、システム構築を容易にする。【解決手段】ツール分類部１０１は、コンテンツ記述ツール１１を入力し、記述ツール１１を、主機能ツールと基底ツールのいずれかに分類する。出力された基底ツールの情報は、基底ツールセット形成部１０２に入力され、この主機能ツールの情報は、主機能ツール登録部１０３に入力される。基底ツールセット形成部１０２は、ツール分類部１０１で分類された基底ツールを適宜グループ化して、基底ツールセットを形成する。主機能ツール登録部１０３及び基底ツールセット登録部１０４は、ツール分類部１０１から出力された主機能ツール、基底ツールセット形成部１０２から出力された情報を登録する。【選択図】　　　図１
2004046604.tif 000002
【特許請求の範囲】
【請求項１】
システムの構成要素となる複数のツールが予め定義され、該複数のツールの一部または全部を使用してシステムを構築するシステム構築装置であって、
前記複数のツールを、特定のシステムの形態を実現するのに必要とされるツールからなる第１のツール群と、複数のシステムの形態で普遍的に用いられるツールからなる第２のツール群とに分類する分類手段と、
前記第２のツール群に含まれる１または複数のツールを抜き出してツールセットを形成する形成手段とを備えるシステム構築装置。
【請求項２】
システムの構成要素となる複数のツールが予め定義され、該複数のツールの一部または全部を使用してシステムを構築するシステム構築装置であって、
前記複数のツールが、特定のシステムの形態を実現するのに必要とされるツールからなる第１のツール群と、複数のシステムの形態で普遍的に用いられるツールからなる第２のツール群とからなり、
更に、前記第２のツール群に含まれる１または複数のツールを抜き出して形成されるツールセットからなるツールセット群が形成され、
前記第１のツール群から少なくとも１つのツールを選ぶ第１の選択手段と、
前記ツールセット群から少なくとも１つのツールセットを選ぶ第２の選択手段と、
前記第１の選択手段で選んだ前記少なくとも１つのツールと、前記第２の選択手段で選んだ前記少なくとも１つのツールセットとを組み合わせることによってシステムを構築するシステム構築手段とを備えるシステム構築装置。
【請求項３】
システムの構成要素となる複数のツールが予め定義され、該複数のツールの一部または全部を使用してシステムを構築するシステム構築装置であって、
前記複数のツールを、特定のシステムの形態を実現するのに必要とされるツールからなる第１のツール群と、複数のシステムの形態で普遍的に用いられるツールからなる第２のツール群とに分類する分類手段と、
前記第２のツール群に含まれる１または複数のツールを抜き出してツールセットを形成する形成手段と、
前記形成手段により得られたツールセットの少なくとも１つに、前記第１のツール群に含まれるツールの少なくとも１つを組み合わせることによってシステムを構築するシステム構築手段とを備えるシステム構築装置。
【請求項４】
前記構築されるシステムは、所望のコンテンツを検索するコンテンツ検索システムであり、前記ツールは、コンテンツの特徴を記述した付加情報の記述形式、該付加情報を生成するための生成ツール、該付加情報を使って検索を実行するための利用ツールの少なくとも１つを含むコンテンツ記述ツールであることを特徴とする請求項１、２又は３に記載のシステム構築装置。
【請求項５】
システムの構成要素となる複数のツールが予め定義され、該複数のツールの一部または全部を使用してシステムを構築するシステム構築方法であって、
前記複数のツールを、特定のシステムの形態を実現するのに必要とされるツールからなる第１のツール群と、複数のシステムの形態で普遍的に用いられるツールからなる第２のツール群とに分類する分類ステップと、
前記第２のツール群に含まれる１または複数のツールを抜き出してツールセットを形成する形成ステップとを備えるシステム構築方法。
【請求項６】
システムの構成要素となる複数のツールが予め定義され、該複数のツールの一部または全部を使用してシステムを構築するシステム構築方法であって、
前記複数のツールが、特定のシステムの形態を実現するのに必要とされるツールからなる第１のツール群と、複数のシステムの形態で普遍的に用いられるツールからなる第２のツール群とからなり、
更に、前記第２のツール群に含まれる１または複数のツールを抜き出して形成されるツールセットからなるツールセット群が形成され、
前記第１のツール群から少なくとも１つのツールを選ぶ第１の選択ステップと、
前記ツールセット群から少なくとも１つのツールセットを選ぶ第２の選択ステップと、
前記第１の選択ステップで選んだ前記少なくとも１つのツールと、前記第２の選択ステップで選んだ前記少なくとも１つのツールセットとを組み合わせることによってシステムを構築するシステム構築ステップとを備えるシステム構築方法。
【請求項７】
システムの構成要素となる複数のツールが予め定義され、該複数のツールの一部または全部を使用してシステムを構築するシステム構築方法であって、
前記複数のツールを、特定のシステムの形態を実現するのに必要とされるツールからなる第１のツール群と、複数のシステムの形態で普遍的に用いられるツールからなる第２のツール群とに分類する分類ステップと、
前記第２のツール群に含まれる１または複数のツールを抜き出してツールセットを形成する形成ステップと、
前記形成ステップにより得られたツールセットの少なくとも１つに、前記第１のツール群に含まれるツールの少なくとも１つを組み合わせることによってシステムを構築するシステム構築ステップとを備えるシステム構築方法。
【請求項８】
前記構築されるシステムは、所望のコンテンツを検索するコンテンツ検索システムであり、前記ツールは、コンテンツの特徴を記述した付加情報の記述形式、該付加情報を生成するための生成ツール、該付加情報を使って検索を実行するための利用ツールの少なくとも１つを含むコンテンツ記述ツールであることを特徴とする、請求項５、６又は７に記載のシステム構築方法。
【請求項９】
複数のツールが予め定義され、該複数のツールの一部または全部を使用して構築されるシステムであって、
前記複数のツールが、特定のシステムの形態を実現するのに必要とされるツールからなる第１のツール群と、複数のシステムの形態で普遍的に用いられるツールからなる第２のツール群とからなり、
更に、前記第２のツール群に含まれる１または複数のツールを抜き出して形成されるツールセットからなるツールセット群が形成され、
前記ツールセット群に含まれるツールセットの少なくとも１つに、前記第１のツール群に含まれるツールの少なくとも１つを組み合わせることによって構成されることを特徴とするシステム。
【請求項１０】
前記ツールは、コンテンツの特徴を記述した付加情報の記述形式、該付加情報を生成するための生成ツール、該付加情報を使って検索を実行するための利用ツールの少なくとも１つを含むコンテンツ記述ツールであることを特徴とする請求項９に記載のシステム。
【請求項１１】
システムの構成要素となる複数のツールが予め定義され、該複数のツールの一部または全部を使用してシステムを構築するためのツール管理装置であって、
前記複数のツールが、特定のシステムの形態を実現するのに必要とされるツールからなる第１のツール群と、複数のシステムの形態で普遍的に用いられるツールからなる第２のツール群とからなり、
更に、前記第２のツール群に含まれる１または複数のツールを抜き出して形成されるツールセットからなるツールセット群を形成し、
前記第１のツール群及び前記ツールセット群を示す情報を用いて前記複数のツールを管理する管理手段を備えるツール管理装置。
【請求項１２】
前記ツールは、コンテンツの特徴を記述した付加情報の記述形式、該付加情報を生成するための生成ツール、該付加情報を使って検索を実行するための利用ツールの少なくとも１つを含むコンテンツ記述ツールであることを特徴とする請求項１１に記載のツール管理装置。
【請求項１３】
システムの構成要素となる複数のツールが予め定義され、該複数のツールの一部または全部を使用してシステムを構築するためのツール管理方法であって、
前記複数のツールが、特定のシステムの形態を実現するのに必要とされるツールからなる第１のツール群と、複数のシステムの形態で普遍的に用いられるツールからなる第２のツール群とからなり、
更に、前記第２のツール群に含まれる１または複数のツールを抜き出して形成されるツールセットからなるツールセット群を形成し、
前記第１のツール群及び前記ツールセット群を示す情報を用いて前記複数のツールを管理する管理ステップを備えるツール管理方法。
【請求項１４】
前記ツールは、コンテンツの特徴を記述した付加情報の記述形式、該付加情報を生成するための生成ツール、該付加情報を使って検索を実行するための利用ツールの少なくとも１つを含むコンテンツ記述ツールであることを特徴とする請求項１３に記載のツール管理方法。
【発明の詳細な説明】
【０００１】
【発明の属する技術分野】
本発明は、映像、音声を含むコンテンツデータを効率的に扱うための、付加情報の記述形式、付加情報の抽出技術並びに検索技術を含むコンテンツ記述ツールの組合せにより構成されるシステムのシステム構築装置、システム構築方法及び構築されたシステム、並びにシステム構築のためのツール管理装置及びそのツール管理方法に関する。
【０００２】
【従来の技術】
現在氾濫する、または将来において氾濫するであろう、映像、音声を含む多量のコンテンツデータに対して、利用者が所望のものを素早く探し出してコンテンツを効率的に扱うために、数多くのコンテンツ記述ツールが検討されている。例えば、ＭＰＥＧ（Ｍｏｖｉｎｇ　Ｐｉｃｔｕｒｅ　Ｅｘｐｅｒｔｓ　Ｇｒｏｕｐ）の国際規格ＭＰＥＧ−７では、多くのコンテンツ記述ツールが国際規格として定義されている。
【０００３】
ここで言う「コンテンツ記述ツール」とは、コンテンツデータに対応する形で用意され、検索等に用いられる、コンテンツデータの付加情報そのもの（付加情報のデータ形式、構文等）、並びに、その付加情報を扱うための技術ツールを含んだ総称であるとする。付加情報を扱うための技術ツールとしては、コンテンツデータの特徴を抽出して付加情報を生成するための抽出ツールや、付加情報を利用して検索を実行する利用ツール等が挙げられる。
【０００４】
利用者は、上記国際規格等によって予め用意された多数のコンテンツ記述ツールの中から、必要な一部または全部のツールを選んで適宜利用することで、所望のシステムを構築することができる。ここで言う「利用者」とは、コンテンツを視聴する末端の利用者のみを指すのでなく、多数のコンテンツデータを蓄積して配信システムを構築するあるいはＡＶ機器を製造する、といった提供者側のコンテンツ利用者をも指す。例えば、末端の利用者について言えば、ここで言う「システム」とは、利用者が独自にカスタマイズしたコンテンツ検索ソフトウェアのようなものを指すし、提供者側の利用者から見た場合には、特定の付加情報セットを採用したコンテンツ配信システム全体や、特定の機能構成からなるＡＶ機器本体が「システム」となる。
【０００５】
図１３に、従来の、複数のコンテンツ記述ツールから所望のコンテンツ検索システムを構築する例を示した。図１３では、映像コンテンツに対応する記述ツールとして、映像データの符号化方式等を記述するための「フォーマット記述ツール」、付加情報とコンテンツデータとの対応関係を表すコンテンツデータへの「リンク情報記述ツール」、映像をシーンまたはショットといった構造単位（これらはセグメントと呼ばれる）に分解した時、それらの構造、関係を記述する「セグメント構造記述ツール」、ショット中の代表フレームの位置等をマークする「マーカツール」、また、ショットに映る被写体やショットの内容をフリーテキストで記述し貼付する「フリーテキスト記述ツール」と、ショットあるいはキーフレームの代表色、色配置を記述する「色特徴記述ツール」とを挙げ、これらの組合せでシステムが構成されるものとした。
【０００６】
システムＡでは、上記のコンテンツ記述ツールのうち、フォーマット記述ツール、リンク情報記述ツール、セグメント構造記述ツール、マーカツール、フリーテキスト記述ツールを用いてコンテンツ検索システムを構築する。この時、構築されるシステムは、ショットの被写体やショットの内容を記載したフリーテキスト情報を検索情報とする、フリーテキストベースのコンテンツ検索システムである。
また、システムＢでは、上記のコンテンツ記述ツールのうち、フォーマット記述ツール、リンク情報記述ツール、セグメント構造記述ツール、マーカツール、色特徴記述ツールを用いてコンテンツ検索システムを構築する。構築されるシステムは、ショットあるいはキーフレームの代表色、色配置情報を検索情報とする、色情報ベースのコンテンツ検索システムとなる。
【０００７】
【発明が解決しようとする課題】
図１３ではシステムを構成するツールとして６つのツールを例に挙げたが、一般のシステムを構成するツールは更に多数であり、多数あるツールから、利用者がその都度個々のツールについて必要か否かを判断してツールを抜き出す作業は、一般に手間である。また、利用者どうしの互換を取る意味でも、特定のツールセットを定義して利用者どうしで共通に扱えるようにするのが便利である。
【０００８】
従来扱われていたツールセットは、図１３で既に示したように、ある検索の目的、所望される検索の機能、形態に応じてツールを選択しグループ化するというものであった。図１３のシステムＡは、フリーテキストベースの動画検索を行うことを目的に構築されたシステムであり、図１３のシステムＢは、色情報ベースの動画検索を行うことを目的に構築されたシステムである。色情報ベースの動画検索を行いたい別の利用者は、既に定義されているシステムＢのツールセットでシステムを構築すればよい。
【０００９】
しかし、検索の形態に応じてツールセットを定義する従来の方法では、多数に存在する検索の形態に合わせて多数のツールセットを定義するため、数が多くなると選択に係る利用者の負担が増え、ツールセットを定義したメリットが薄れる。しかも、図１３に示されているように、各ツールセットどうしでは多くのツールを共通に持つことになるが、それらを関連付けて扱うことができない。
【００１０】
図１３に挙げた６つのコンテンツ記述ツールのうち、システムＡ、Ｂの検索の形態を決定しているのは、後者２つのツール、フリーテキスト記述ツール及び色特徴記述ツールである。これらのツールを持つか否かによって、フリーテキストに基づいて検索を行えるか、色情報に基づいて検索を行えるか、というように検索の形態が左右される。
一方、前者４つのツール、フォーマット記述ツール、リンク情報記述ツール、セグメント構造記述ツール、マーカツールは、映像コンテンツ検索システムを構築するためのベースとなるツールであり、映像コンテンツを記述する際にほぼ普遍的に使用される。
【００１１】
このように、検索の形態がある一部のツールがあるか否かによって左右される一方で、多くの検索の形態に対して普遍的に利用されるツールが存在する。この場合に、検索の形態に応じてツールセットを作る従来の方式では、多数存在する検索の形態に合わせて作られた多数のツールセットどうしが多くのツールを共通に持つこととなる。
【００１２】
本発明は、上記に鑑みてなされたもので、構成要素である複数のコンテンツ記述ツールから必要な一部または全部のツールを選び出してコンテンツ検索システムを構築する際に、システム構築を容易にするシステム構築装置、システム構築方法及び構築されたシステム、並びにシステム構築のためのツール管理装置及びそのツール管理方法を提供することを目的とする。
【００１３】
【課題を解決するための手段】
本願の第１の発明は、システムの構成要素となる複数のツールが予め定義され、該複数のツールの一部または全部を使用してシステムを構築するシステム構築装置であって、前記複数のツールを、特定のシステムの形態を実現するのに必要とされるツールからなる第１のツール群と、複数のシステムの形態で普遍的に用いられるツールからなる第２のツール群とに分類する分類手段と、前記第２のツール群に含まれる１または複数のツールを抜き出してツールセットを形成する形成手段とを備えたことを特徴とする。
【００１４】
本願の第２の発明は、システムの構成要素となる複数のツールが予め定義され、該複数のツールの一部または全部を使用してシステムを構築するシステム構築装置であって、前記複数のツールが、特定のシステムの形態を実現するのに必要とされるツールからなる第１のツール群と、複数のシステムの形態で普遍的に用いられるツールからなる第２のツール群とからなり、更に、前記第２のツール群に含まれる１または複数のツールを抜き出して形成されるツールセットからなるツールセット群が形成され、前記第１のツール群から少なくとも１つのツールを選ぶ第１の選択手段と、前記ツールセット群から少なくとも１つのツールセットを選ぶ第２の選択手段と、前記第１の選択手段で選んだ前記少なくとも１つのツールと、前記第２の選択手段で選んだ前記少なくとも１つのツールセットとを組み合わせることによってシステムを構築するシステム構築手段とを備えたことを特徴とする。
【００１５】
本願の第３の発明は、システムの構成要素となる複数のツールが予め定義され、該複数のツールの一部または全部を使用してシステムを構築するシステム構築装置であって、前記複数のツールを、特定のシステムの形態を実現するのに必要とされるツールからなる第１のツール群と、複数のシステムの形態で普遍的に用いられるツールからなる第２のツール群とに分類する分類手段と、前記第２のツール群に含まれる１または複数のツールを抜き出してツールセットを形成する形成手段と、前記形成手段により得られたツールセットの少なくとも１つに、前記第１のツール群に含まれるツールの少なくとも１つを組み合わせることによってシステムを構築するシステム構築手段とを備えたことを特徴とする。
【００１６】
本願の第４の発明は、更に、前記本願の第１、第２または第３の発明のシステム構築装置において、前記構築されるシステムが、所望のコンテンツを検索するコンテンツ検索システムであり、前記ツールが、コンテンツの特徴を記述した付加情報の記述形式、該付加情報を生成するための生成ツール、該付加情報を使って検索を実行するための利用ツールの少なくとも１つを含むコンテンツ記述ツールであることを特徴とする。
【００１７】
本願の第５の発明は、システムの構成要素となる複数のツールが予め定義され、該複数のツールの一部または全部を使用してシステムを構築するシステム構築方法であって、前記複数のツールを、特定のシステムの形態を実現するのに必要とされるツールからなる第１のツール群と、複数のシステムの形態で普遍的に用いられるツールからなる第２のツール群とに分類する分類ステップと、前記第２のツール群に含まれる１または複数のツールを抜き出してツールセットを形成する形成ステップとを備えたことを特徴とする。
【００１８】
本願の第６の発明は、システムの構成要素となる複数のツールが予め定義され、該複数のツールの一部または全部を使用してシステムを構築するシステム構築方法であって、前記複数のツールが、特定のシステムの形態を実現するのに必要とされるツールからなる第１のツール群と、複数のシステムの形態で普遍的に用いられるツールからなる第２のツール群とからなり、更に、前記第２のツール群に含まれる１または複数のツールを抜き出して形成されるツールセットからなるツールセット群が形成され、前記第１のツール群から少なくとも１つのツールを選ぶ第１の選択ステップと、前記ツールセット群から少なくとも１つのツールセットを選ぶ第２の選択ステップと、前記第１の選択ステップで選んだ前記少なくとも１つのツールと、前記第２の選択ステップで選んだ前記少なくとも１つのツールセットとを組み合わせることによってシステムを構築するシステム構築ステップとを備えたことを特徴とする。
【００１９】
本願の第７の発明は、システムの構成要素となる複数のツールが予め定義され、該複数のツールの一部または全部を使用してシステムを構築するシステム構築方法であって、前記複数のツールを、特定のシステムの形態を実現するのに必要とされるツールからなる第１のツール群と、複数のシステムの形態で普遍的に用いられるツールからなる第２のツール群とに分類する分類ステップと、前記第２のツール群に含まれる１または複数のツールを抜き出してツールセットを形成する形成ステップと、前記形成ステップにより得られたツールセットの少なくとも１つに、前記第１のツール群に含まれるツールの少なくとも１つを組み合わせることによってシステムを構築するシステム構築ステップとを備えたことを特徴とする。
【００２０】
本願の第８の発明は、更に、前記本願の第５、第６または第７の発明のシステム構築方法において、前記構築されるシステムが、所望のコンテンツを検索するコンテンツ検索システムであり、前記ツールが、コンテンツの特徴を記述した付加情報の記述形式、該付加情報を生成するための生成ツール、該付加情報を使って検索を実行するための利用ツールの少なくとも１つを含むコンテンツ記述ツールであることを特徴とする。
【００２１】
本願の第９の発明は、複数のツールが予め定義され、該複数のツールの一部または全部を使用して構築されるシステムであって、前記複数のツールが、特定のシステムの形態を実現するのに必要とされるツールからなる第１のツール群と、複数のシステムの形態で普遍的に用いられるツールからなる第２のツール群とからなり、更に、前記第２のツール群に含まれる１または複数のツールを抜き出して形成されるツールセットからなるツールセット群が形成され、前記ツールセット群に含まれるツールセットの少なくとも１つに、前記第１のツール群に含まれるツールの少なくとも１つを組み合わせることによって構成されることを特徴とする。
【００２２】
本願の第１０の発明は、更に、前記本願の第９の発明のシステムにおいて、前記ツールが、コンテンツの特徴を記述した付加情報の記述形式、該付加情報を生成するための生成ツール、該付加情報を使って検索を実行するための利用ツールの少なくとも１つを含むコンテンツ記述ツールであることを特徴とする。
【００２３】
本願の第１１の発明は、システムの構成要素となる複数のツールが予め定義され、該複数のツールの一部または全部を使用してシステムを構築するためのツール管理装置であって、前記複数のツールが、特定のシステムの形態を実現するのに必要とされるツールからなる第１のツール群と、複数のシステムの形態で普遍的に用いられるツールからなる第２のツール群とからなり、更に、前記第２のツール群に含まれる１または複数のツールを抜き出して形成されるツールセットからなるツールセット群を形成し、前記第１のツール群及び前記ツールセット群を示す情報を用いて前記複数のツールを管理する管理手段を備えたことを特徴とする。
【００２４】
本願の第１２の発明は、更に、前記本願の第１１の発明のツール管理装置において、前記ツールが、コンテンツの特徴を記述した付加情報の記述形式、該付加情報を生成するための生成ツール、該付加情報を使って検索を実行するための利用ツールの少なくとも１つを含むコンテンツ記述ツールであることを特徴とする。
【００２５】
本願の第１３の発明は、システムの構成要素となる複数のツールが予め定義され、該複数のツールの一部または全部を使用してシステムを構築するためのツール管理方法であって、前記複数のツールが、特定のシステムの形態を実現するのに必要とされるツールからなる第１のツール群と、複数のシステムの形態で普遍的に用いられるツールからなる第２のツール群とからなり、更に、前記第２のツール群に含まれる１または複数のツールを抜き出して形成されるツールセットからなるツールセット群を形成し、前記第１のツール群及び前記ツールセット群を示す情報を用いて前記複数のツールを管理する管理ステップを備えたことを特徴とする。
【００２６】
本願の第１４の発明は、更に、前記本願の第１３の発明のツール管理方法において、前記ツールが、コンテンツの特徴を記述した付加情報の記述形式、該付加情報を生成するための生成ツール、該付加情報を使って検索を実行するための利用ツールの少なくとも１つを含むコンテンツ記述ツールであることを特徴とする。
【００２７】
【発明の実施の形態】
＜第１の実施形態＞
以下、本発明の第１の実施形態を、図１乃至図１０を用いて説明する。
【００２８】
図１乃至図２は、本実施形態に係るシステム構築装置の概略構成を示した機能ブロック図である。
本実施形態に係るシステム構築装置は、予め定義されているコンテンツ記述ツール１１を分類並びに処理して、主機能ツール群２０及び基底ツールセット群３０を作るまでの準備部１００（図１）と、１または複数の主機能ツール２１及び基底ツールセット３１を使ってシステムを組み上げる構築部２００（図２）とから構成される。主機能ツール２１、基底ツールセット３１については後で詳しく説明する。
【００２９】
準備部１００が行うのは、システム構築の前段での処理であり、主機能ツール２１及び基底ツールセット３１に関する情報を形成、保持して、システムを構築しようとする利用者へと提供するものである。一方、利用者は、準備部１００で既に得られた主機能ツール２１及び基底ツールセット３１に関する情報を用い、構築部２００を通して最終的にシステムを構築する。従って、末端の利用者にとっては準備部１００が見える必要はない。本実施形態のシステム構築装置を準備部１００、構築部２００の２つに分けたのはこのような理由によるが、必ずしも本実施形態のように２つのパートに分ける必要はなく、上記の準備部１００と構築部２００を繋げて１つのシステム構築装置を構成してもよい。
【００３０】
次に、準備部１００について説明する。
本実施形態に係るシステム構築装置の準備部１００は、ツール分類部１０１、基底ツールセット形成部１０２、主機能ツール登録部１０３及び基底ツールセット登録部１０４からなる。
【００３１】
ツール分類部１０１は、システムの構成要素として予め与えられているコンテンツ記述ツール１１のそれぞれに関する情報を入力とし、記述ツール１１のそれぞれを、後述する基準に従って主機能ツールと基底ツールのいずれかに分類し、分類結果を出力する。出力された基底ツールの情報は、基底ツールセット形成部１０２に入力される。一方、出力された主機能ツールの情報は、主機能ツール登録部１０３に入力される。
【００３２】
主機能ツールと基底ツールとの違いを以下に説明する。
この違いを基準に、ツール分類部１０１はそれぞれの記述ツールが主機能ツールであるか、基底ツールであるかを自動または手動で判断し、記述ツールを分類する。
【００３３】
主機能ツールとは、それ自体が検索の形態を決定する独立したコンテンツ記述ツールを指す。例えば、フリーテキスト記述ツール、色特徴記述ツールがそれであり、これらのツールの有無によって、フリーテキスト検索が行えるか否か、色情報による検索が可能か否かが決定される。また逆に、主機能ツールは独立したコンテンツ記述ツールであることから、これらのツールが無くともシステムの他の機能を妨げないものであることが条件となる。
【００３４】
手動で分類する場合には、これらの条件を処理者が判断する。一方、自動で分類を行う場合には、このような記述ツール間の依存関係に関する情報が別途必要とされ、これらの情報に基づいて分類が行われる。
【００３５】
上記２つの主機能ツールは、あるコンテンツに対して、メディア種別の異なる付加情報を与えるものである。主機能ツールにはこの他、例えば、「要約形成ツール」や「インデックス形成ツール」のような、検索の形態自体を指定するコンテンツ記述ツールも含まれる。
要約形成ツールとは、コンテンツの内容を要約して（元の大きさよりも小さなコンテンツに変換して）検索時に提示する方法を与えるツールであり、更に、その形成される要約がいずれのメディア（テキストか、映像か、あるいは音声か）に基づくかを他のコンテンツ記述ツールによって与えることもある。
インデックス形成ツールとは、コンテンツ内の特徴的な箇所を抜き出し、視覚的に理解が容易な形でそれらの箇所を検索者に提示する方法を与えるツールであり、例えば映像コンテンツであれば、映像内の特徴的なフレームを抜き出して１画面内に並べて表示するといったツールがそれにあたる。
【００３６】
一方、基底ツールとは、主機能ツールを除いた記述ツールであり、多様な検索の形態に対して概ね普遍的に用いられる基本的な記述ツールを指す。
但し、主機能ツールと基底ツールとの境界は相対的なものであり、実現する検索システムの用途の違いその他によって、あるコンテンツ記述ツールが主機能ツールと判断されるか、基底ツールと判断されるかが左右されることもある。
【００３７】
基底ツールセット形成部１０２は、ツール分類部１０１で分類され出力された基底ツールを適宜グループ化して、基底ツールセットを形成する。
基底ツールセットは、例えば扱うコンテンツのメディアの違い等によってグループ化されたツール群を指す。基底ツールは基底ツールセットを構成する個々のツールである。
【００３８】
例えば、動画コンテンツを扱う検索システムであれば、動画を記述するための複数あるベーシックなツールが常に必要になるため、それらを予めグループ化して動画コンテンツ記述のための基底ツールセットとして与える。動画コンテンツの他、静止画、音声データ等に対しても、同様に基底ツールセットを形成／用意することができる。この時、１つの基底ツールが複数の基底ツールセットに含まれることも可能である。また、複数の基底ツールセットを併せて別の基底ツールセットとすることもある。
【００３９】
図３は、図１３に示したコンテンツ記述ツールを主機能ツール群２０及び基底ツール群３２に分類した例である。また、図４は、図３の基底ツール群３２から２つの基底ツールセット、「動画記述基底ツールセット３１ａ」と「静止画記述基底ツールセット３１ｂ」を形成した例である。無論、形成される基底ツールセットはこれに限らない。また、動画、静止画を記述するための動画記述基底ツールセット３１ａ、静止画記述基底ツールセット３１ｂに含まれるコンテンツ記述ツール自体も、ここに示されたものに限るものではない。
【００４０】
これは主機能ツールについても同様であり、主機能ツールもここに示されたものに限るものではない。例えば、主機能ツールとしては、「フリーテキスト記述ツール」、「色特徴記述ツール」及び前述した「要約形成ツール」、「インデックス形成ツール」の他、動画コンテンツに対する「動き特徴記述ツール」や、静止画コンテンツに対する「形状特徴記述ツール」、「模様特徴記述ツール」等がある。また、特殊用途向けのツールとしては、複数のコンテンツをまとめて管理するための「集合形成ツール」等も、主機能ツールに含まれる。
【００４１】
一方、基底ツールに関して言えば、動画、静止画基底ツールセットに共通に含まれるものとして、「製作情報記述ツール」（製作者／場所／日時、出演者、タイトル等の記述ツール）や「コンテンツ使用管理ツール」（使用制限、著作権情報等の記述ツール）等があるし、動画について言えば「メディア内時間の記述ツール」や、更に音声付動画について言えば「使用言語を記述するツール」等も、基底ツールに含まれる。
【００４２】
主機能ツール登録部１０３及び基底ツールセット登録部１０４は、ツール分類部１０１から出力された主機能ツール、及び基底ツールセット形成部１０２から出力された基底ツールセットの情報を受け取り、それらを利用者が利用可能なように形式を整えて登録する。登録とは、例えば、主機能ツールの１つ１つ、及び基底ツールセットの１つ１つについて、識別番号とその機能に関する記載情報を与えることで、後述するシステム構築装置の構築部２００において取り扱いを容易にするための処理である。
【００４３】
次に、構築部２００について説明する。
本実施形態に係るシステム構築装置の構築部２００は、主機能ツール選択部２０１、基底ツールセット選択部２０２、及びシステム構築部２０３からなる。
主機能ツール選択部２０１及び基底ツールセット選択部２０２では、利用者が、所望する検索の形態等に合わせて主機能ツール２１及び基底ツールセット３１を選択する。
【００４４】
主機能ツール選択部２０１では、検索の形態に合わせて、主機能ツール登録部１０３に登録された記述ツールから利用者が必要なツールを手動または自動で選択する。
選択に際して、利用者は、自分が構築しようとするシステムに必要な機能（要求機能）を整理し、登録された主機能ツールに付属の情報、例えば各ツールの機能に関する記載情報と前記要求機能とを参照して、要求機能に合致する主機能ツールを選択する。
あるいは、前記要求機能を記した情報（要求情報）を入力として自動で選択することも可能である。例えば、フリーテキスト検索を行いたい利用者は、フリーテキストを扱うために必要な記述ツールを要求し、結果としてフリーテキスト記述ツールを選択する。
【００４５】
前述したように、主機能ツールには、フリーテキスト記述ツール等のように付加情報のメディア種別を決定するものの他、要約形成ツール等のように検索の形態自体を指定するツールも含まれ、これらを利用者が適宜選択するものである。また、複数の主機能ツールを選択してシステム構築部２０３に渡し、複数の主機能ツールを含むシステムを構築することもできる。
【００４６】
基底ツールセット選択部２０２では、例えば扱うコンテンツのメディアの違い等によって適当な基底ツールセットを選択する。基底ツールセットに関しても、主機能ツールの場合と同様に、基底ツールセット登録部１０４に登録された基底ツールセットから利用者が構築するシステムの要求に合わせて手動で選択することもできるし、あるいは扱うメディアの種別情報等によって必要な基底ツールセットを自動で選択することも可能である。例えば、扱うコンテンツが動画コンテンツであった場合には、動画コンテンツに対応する動画記述基底ツールセットを選択する。また、複数の基底ツールセットを選んでシステム構築部２０３に渡し、それらの組合せをベースとしてシステムを構築することもできる。
【００４７】
システム構築部２０３は、主機能ツール選択部２０１で選択された主機能ツール及び基底ツールセット選択部２０２で選択された基底ツールセットを組み合わせて、１つのシステムを構成する。実際には、主機能ツール選択部２０１及び基底ツールセット選択部２０２からは、選択された主機能ツール及び基底ツールセットに関する情報が得られ、システム構築部２０３は、前記得られた情報に対応する主機能ツール及び基底ツールセット（に含まれる各基底ツール）を別途得て、最終的にシステムを構築する。
【００４８】
但し、この時、選ばれた主機能ツールと基底ツールセットが組合せ可能かのチェックを行う。例えば、コンテンツが音声データであり、基底ツールセットに音声データ用の基底ツールセットを選んだのに対して、主機能ツールに映像コンテンツ用の色特徴記述ツールを選んでも、それらを組み合わせてシステムを作ることはできない。チェックの結果、組合せ不可と判定された場合には、検索の形態を見直し、主機能ツール、基底ツールセットの何れか一方または両方を選択し直して適当なシステムを構成するようにする。
【００４９】
なお、図１乃至図２には図示していないが、準備部１００から出力された上記の主機能ツール２０及び基底ツールセット３０に関する登録情報を記録、保持して、それらの情報を管理する機能を持った管理部を、準備部１００及び構築部２００と独立に設けることもできる。あるいは、この管理部を有する独立した管理装置を設けるとしてもよい。
【００５０】
管理部は、構築部２００へのツール情報の入力を補助するものであり、主機能ツール及び基底ツールセットの登録情報を保持して、構築部２００からの要求に応じてそれらのツール情報を出力する。また、管理部が、それらのツール情報と合わせて、コンテンツ記述ツールそのものを管理する機能を有するとしてもよい。
【００５１】
その場合、管理部は、上記ツール情報の出力に加えて、構築部２００内のシステム構築部２０３に対し、選択された主機能ツール及び基底ツールセット情報に対応するコンテンツ記述ツールを抜き出して出力する機能を有することとなる。先に述べたように、システムを構築しようとする末端の利用者からは準備部１００が見える必要はなく、この管理部を通して、形成済みの主機能ツール及び基底ツールセットのみが末端の利用者から見えることになる。
【００５２】
図５乃至図８には、図３、図４に示された本実施形態の主機能ツールと基底ツールセットとの組合せで与えられるコンテンツ検索システムの構成例を示した。これらの図は、コンテンツ検索システムを、システムを構成する記述ツールのリストとして表現したものであり、実際に構成されるコンテンツ検索システムとは、これらリストに挙げられた記述ツールの各々を実装することにより得られるものである。
【００５３】
図５は、基底ツールセットとして動画記述基底ツールセット３１ａを用い、主機能ツールの１つであるフリーテキスト記述ツール２１ａとの組合せで構成された、テキストベースの動画コンテンツ検索システム４０ａの例である。基底ツールセットの１つである動画記述基底ツールセット３１ａは汎用に用いられるものであり、図５の動画記述基底ツールセット３１ａはそのままで、フリーテキスト記述ツール２１ａを色特徴記述ツール２１ｂに差し替えると、図６に示した色特徴ベースの動画コンテンツ検索システム４０ｂが構成される。図５、図６からわかるように、検索の形態を決定しているのは主機能ツールであるフリーテキスト記述ツール２１ａまたは色特徴記述ツール２１ｂである。このように、本実施形態のシステム構築装置では、複数のコンテンツ記述ツールからなる基底ツールセットは共通に、主機能ツールを入れ替えることによって、検索の形態に合ったシステムを容易に構成することができる。
【００５４】
次に、図５の動画記述基底ツールセット３１ａを、同じく基底ツールセットの１つである静止画記述基底ツールセット３１ｂに入れ替えたのが、図７のテキストベースの静止画コンテンツ検索システム４０ｃである。このように、本実施形態のシステム構築装置では、対象とするコンテンツのメディアを変更することも容易である。
【００５５】
また、動画記述基底ツールセット３１ａに、主機能ツールであるフリーテキスト記述ツール２１ａ及び色特徴記述ツール２１ｂを共に装備したのが、図８の動画コンテンツ検索システム４０ｄである。このように、複数の主機能ツールを付加してシステムを構成することも可能である。
【００５６】
図５乃至図８で示した例では、各コンテンツ記述ツールが、付加情報を用いて検索を行うための「利用ツール」を指すものであるとし、それら利用ツールで構成される「コンテンツ検索システム」を、本実施形態のシステム構築装置で構築されるシステムの例として挙げた。本発明の実施形態に記載のコンテンツ記述ツールは、上記「利用ツール」の他、記述ツールで記載される「付加情報そのもの」、「付加情報のデータ形式や構文」を指すこともあるし、あるいは、付加情報を抽出、生成するための「抽出ツール」を指すこともある。
【００５７】
つまり、図５乃至図８に示したシステムとは、コンテンツ検索システムのみを表すものではなく、もっと広い概念のシステムを表していると考えてよい。例えば、各コンテンツ記述ツールが付加情報の抽出ツールを表すものであるとすれば、図５乃至図８に示されるのは、ある「検索情報抽出システム」を表すものであるし、各コンテンツ記述ツールが付加情報の検索利用ツールを表すものであるとすれば、特定の検索機能を持つ「検索端末」を表しているとも考えられる。また、付加情報そのもの、抽出ツール、利用ツールを全て表すと捉えて、特定の付加情報を利用するサーバークライアントモデルからなる総合的な「コンテンツ管理システム」の全体を表象している図であると捉えることもできる。即ち、本実施形態のシステム構築装置は、付加情報を用意するサーバ側システム、付加情報を利用するクライアント側システム、付加情報をやり取りするサーバークライアントモデルといったレベルの異なるシステムに適用可能な一般的構成を示したものである。
【００５８】
以上に説明した本実施形態の例では、主機能ツールであるフリーテキスト記述ツール並びに色特徴記述ツールが、基底ツールセットである動画記述基底ツールセットにも静止画記述基底ツールセットにも等しく組合せ可能としているが、ツールによっては常に組合せが可能とは限らない。例えば、主機能ツールの１つである「動き特徴記述ツール」を定義した場合、定義された動き特徴記述ツールは、動き情報を持つ動画にのみ適用可能なため、動画記述基底ツールセットに組み合わせて用いることは可能であるが、静止画記述基底ツールセットに組み合わせて用いることはできない。主機能ツール及び基底ツールセットを組み合わせてシステムを構成するにあたっては、そのような点に注意する必要がある。
【００５９】
また、そのような煩雑さを避けるための方法として、前記管理部で主機能ツール及び基底ツールセットの登録情報を管理する際の管理方法を工夫することもできる。例えば、基底ツールセットを基準として考えた時、登録された基底ツールセットを管理部で管理する際に、その基底ツールセットと組み合わせて使用することが可能な主機能ツールのリストを作成し、そのリストを用いてツールを管理する方法がある。このリストを用いれば、基底ツールセットを選択した時、組み合せて用いることの可能な主機能ツールを予め知ることができ、組合せ可能かを後で判定する必要が無くなる。また、主機能ツールを基準として考え、その主機能ツールと組み合わせて使用が可能な基底ツールセットを記載したリストを作成し、そのリストを用いてツールを管理する方法もある。このリストを用いれば、主機能ツールを選択した時、組み合わせて用いることの可能な基底ツールセットを予め限定することができ、上記同様に組合せ可能かを後で判定する必要が無くなる。更に、基底ツールセットに対する組合せ可能な主機能ツールのリスト、及び主機能ツールに対する組合せ可能な基底ツールセットのリストの両方を用意し、主機能ツール、基底ツールセットをより自由に選択可能となるようにしてもよい。なお、これらのリストとあわせて、各基底ツールセットをその基底ツールセットに含まれる基底ツールを記載したリストとして表し、この基底ツールセットのリストを上記リストと共に用いるとしてもよい。
【００６０】
次に、本実施形態に係るシステム構築装置によるシステム構築方法について説明する。
図９乃至図１０は、システム構築装置によるシステム構築方法を示すフローチャートである。
本実施形態に係るシステム構築方法は、システム構築装置を用いて、予め定義されているコンテンツ記述ツールを分類並びに処理して主機能ツール群、基底ツールセット群を作るまでの準備ステップ（図９）と、主機能ツール、基底ツールセットを使ってシステムを組み上げるまでの構築ステップ（図１０）とに分けられる。
【００６１】
図９に示した本実施形態に係るシステム構築方法の第１パート、準備ステップでは、まず、予め定義されているコンテンツ記述ツールに関する情報を準備部１００に順次読み込み（Ｓ１１）、ツール分類部１０１により、その記述ツールが、検索の形態を決定するコンテンツ記述ツールである主機能ツールに属するか、コンテンツ記述のベースとして多くの検索の形態で普遍的に利用される基底ツールに属するかを判定する（Ｓ１２）。判定されたコンテンツ記述ツールは、一旦記憶装置に一時記録され（Ｓ１３、Ｓ１４）、記憶済みの各々のツール群に追加される。これを全てのコンテンツ記述ツールについて行う（Ｓ１５）。
【００６２】
次に、基底ツール群に一時記録された基底ツールから、基底ツールセットを形成する（Ｓ１６）。
基底ツールセットは、例えば扱うメディアの違い等に合わせて複数の基底ツールをグループ化して与えられたツールセットであり、既に示したように、動画コンテンツを扱う検索システムであれば動画を記述するための基底ツールセットを、静止画コンテンツを扱うのであれば静止画を記述するための基底ツールセットを、あるいは音声データを扱うのであれば音声データを記述する基底ツールセットを基底ツールセット形成部１０２により形成して、システム構築に利用する。これらの基底ツールセットは、複数の検索システムに対して普遍的に用いることができる。この時、１つの基底ツールが複数の基底ツールセットに含まれることも可能である。また、複数の基底ツールセットを併せて別の基底ツールセットとすることもある。
【００６３】
最後に、主機能ツール及び基底ツールセットを主機能ツール登録部１０３、及び基底ツールセット登録部１０４でそれぞれ登録する（Ｓ１７）。登録とは、例えば、主機能ツールの１つ１つ、及び基底ツールセットの１つ１つについて、識別番号とその機能に関する記載情報を与えることで、下述するシステム構築方法の構築ステップにおいて取り扱いを容易にするための処理である。
【００６４】
主機能ツールは、それ自体が検索の形態を決定する独立したコンテンツ記述ツールを指し、フリーテキスト記述ツール、色特徴記述ツールのような付加情報のメディア種別を決定するものや、要約形成ツールのような検索の形態自体を指定するコンテンツ記述ツールが含まれる。
【００６５】
次に、本実施形態に係るシステム構築方法の第２パート、構築ステップについて、図１０を基に説明する。
利用者は、まず、要求する検索の形態を決定する（Ｓ２１）。そして、その検索の形態に応じて、主機能ツール選択部２０１により主機能ツールを選択する（Ｓ２２）。
例えば、フリーテキストベースの検索を行いたいのであれば、フリーテキスト記述ツールを選択する。あるいは、映像内の色の特徴に基づいて検索を行いたいのであれば、色特徴記述ツールを選ぶ。また、複数の主機能ツールを選んでもよい。
【００６６】
次に、基底ツールセット選択部２０２により基底ツールセットを選択する（Ｓ２３）。
例えば、対象となるコンテンツが動画コンテンツであれば、動画コンテンツ用の基底ツールセットを選択する。あるいは、静止画コンテンツが対象であれば、静止画コンテンツ用の基底ツールセットが選ばれる。複数の基底ツールセットを選んで組み合わせて使うこともできる。
【００６７】
こうして主機能ツール及び基底ツールセットを選んだ後、システム構築部２０３が、選ばれた主機能ツールと基底ツールセットとで整合が取れているかをチェックする（Ｓ２４）。整合が取れているとは、選んだ主機能ツールが選んだ基底ツールセットと組み合わせて用いることが可能かを指す。例えば、コンテンツが音声データであるのに対して色特徴記述ツールを選んでも、それらを組み合わせてシステムを作ることはできない。そして、チェックの結果、整合しないと判定された場合には、主機能ツール、基底ツールセットの何れを差し替えるかを判定し（Ｓ２５）、判定されたのが基底ツールセットであれば基底ツールセットを差し替え（Ｓ２６）、主機能ツールであれば主機能ツールを差し替える（Ｓ２７）。また、検索の形態自体を見直して（Ｓ２８）、その上で主機能ツールを差し替える場合もある。最後に、選んだ主機能ツール及び基底ツールセットを得て、システム構築部２０３がそれらを組み合わせてシステムを構築する（Ｓ２９）。
【００６８】
本実施形態では、主機能ツールと基底ツールセットの組合せによってシステムを構築する。このように、主機能ツールと基底ツールセットの組合せでシステムを構築することにより、所望するシステムを容易に構築可能とする。また、構築されたシステム内のツール構成が主機能ツールと基底ツールセットの組合せで表されることにより、システムを構成するシステム内のツール構成の表記が簡単になるといった利点を持つ。更にこの利点を、システムを表す名称に対して適用することもできる。例えば、図５乃至図８で、システムを構成する主機能ツールが「フリーテキスト」記述ツールと「色特徴」記述ツールであり、同じくシステムを構築する基底ツールセットが「動画」記述基底ツールセットと「静止画」記述基底ツールセットであることから、図５乃至図８に示されたシステムは各々、「フリーテキスト動画」検索システム（図５）、「色特徴動画」検索システム（図６）、「フリーテキスト静止画」検索システム（図７）、「フリーテキスト＋色特徴動画」検索システム（図８）と表記することができる。このように表記することで、システムを構成するツールが明示されると共に、システムの属性までを明示的に表すことができる。
【００６９】
＜第２の実施形態＞
次に、本発明の第２の実施形態を、図１１乃至図１２を用いて説明する。
図１１乃至図１２は、本実施形態に係るシステム構築装置の概略構成を示した機能ブロック図である。
【００７０】
上記第１の実施形態と同様に、本実施形態に係るシステム構築装置は、準備部３００（図１１）と構築部４００（図１２）の２つのパートで構成される。また、本実施形態を示した機能ブロック図、図１１及び図１２において、第１の実施形態の図１、図２と同様の機能を有するブロックには同一の番号を付して示してある。以下、第１の実施形態との相違を中心に、本実施形態のシステム構築装置について説明する。
【００７１】
第１の実施形態と本実施形態とを比べると、本実施形態では、準備部３００において、ツール分類部３０１で、主機能ツール、基底ツールと共に、補助機能ツールが分類されて出力される点、及び、ツール分類部３０１で出力された補助機能ツールを補助機能ツール登録部３０２で登録している点が、第１の実施形態と異なる。また、構築部４００においては、登録された補助機能ツールを補助機能ツール選択部４０１で選択する点、及び、選択された補助機能ツール５１と、同じく選択された主機能ツール２１、基底ツールセット３１とを組み合わせてシステム構築部４０２においてシステムを構築する点が、第１の実施形態と異なっている。
【００７２】
本実施形態で示した補助機能ツール５１とは、要約情報やインデックス情報を作成、管理するためのコンテンツ記述ツール等を指し、第１の実施形態に挙げた要約形成ツールやインデックス形成ツールがこれにあたる。これらのツールは、検索の形態を指定するツールであり、第１の実施形態では主機能ツールとして登録していた。本実施形態では、これらのツールを、付加情報のメディア種別を表す他の主機能ツールと組み合わせて、主機能ツールに対する補助的なツールとして使うことを目的に、別グループとして扱うとしたものである。これにより、「主機能ツール（フリーテキスト記述ツール、色特徴記述ツール）×補助機能ツール（要約化、インデックス化）×基底ツールセット（動画記述、静止画記述）」のように、多段の組合せによるシステムの構成が可能である。
【００７３】
本実施形態は、第１の実施形態における主機能ツールのグループを２つに分けて、システム構築時のツールの選択を多段にしたものである。更に、主機能ツールのグループを細分化して多段階にすることが可能である。また、特に図示しないが、基底ツールセットのグループを同様に細分化して、システム構築時の基底ツールセットの選択を多段階にすることも可能である。
【００７４】
本発明の第１及び第２の実施形態に係るシステム構築装置またはシステム構築方法で構築される「システム」とは、それを構成する「コンテンツ記述ツール」が何を表しているかによって異なるものを表す。先に述べたように、「コンテンツ記述ツール」とは、コンテンツデータに対応する形で用意され、検索等に用いられる、コンテンツデータの付加情報そのもの（付加情報のデータ形式、構文等）及び、その付加情報を扱うための技術ツールの総称であり、付加情報を扱うための技術ツールとしては、コンテンツデータの特徴を抽出して付加情報を生成する抽出ツールや、付加情報を利用して検索を実行する利用ツールが挙げられている。
【００７５】
例えば、利用（検索）ツールを組み合わせて利用する需要者側の立場から見た場合、本発明で言う「システム」とは、特定の機能構成からなる「ＡＶ機器」や利用者が独自にカスタマイズした「コンテンツ検索ソフトウェア」のようなものを指す。また、付加情報そのもの及びその抽出ツールを使ってコンテンツデータベースを構築する供給者側の立場から見れば、例えば、特定の付加情報セットを採用した「コンテンツ配信システム」全体がここで言う「システム」となる。本発明のシステム構築装置及び方法は、このようにレベルの異なるシステムの構築に適用可能な普遍的な構造を持つものである。
【００７６】
【発明の効果】
本発明に係るシステム構築装置及び方法では、システムの構成要素となる多数のツールを、特定のシステムの形態を実現するための主機能ツールと、複数のシステムの形態で普遍的に用いられる基底ツールとに分類し、基底ツールから共通化できるツールをグループ化した基底ツールセットを形成して、１または複数の主機能ツール及び１または複数の基底ツールセットの組合せによってシステムを構築するため、システムの構築が容易となり、また、システム内のツール構成の表記が簡単になる。
【図面の簡単な説明】
【図１】本発明の第１の実施形態に係るシステム構築装置の第１パートの概略構成を示した機能ブロック図である。
【図２】本発明の第１の実施形態に係るシステム構築装置の第２パートの概略構成を示した機能ブロック図である。
【図３】本発明の第１の実施形態で、コンテンツ記述ツールを主機能ツール及び基底ツールのツール群に分類する過程を示した説明図である。
【図４】本発明の第１の実施形態で、基底ツールのツール群に基づいて複数の基底ツールセットを形成する過程を示した説明図である。
【図５】本発明の第１の実施形態で、構築されるシステムの例である。
【図６】本発明の第１の実施形態で、構築されるシステムの別の例である。
【図７】本発明の第１の実施形態で、構築されるシステムの更に別の例である。
【図８】本発明の第１の実施形態で、構築されるシステムの更にまた別の例である。
【図９】本発明の第１の実施形態に係るシステム構築方法の第１パートを示したフローチャートである。
【図１０】本発明の第１の実施形態に係るシステム構築方法の第２パートを示したフローチャートである。
【図１１】本発明の第２の実施形態に係るシステム構築装置の第１パートの概略構成を示した機能ブロック図である。
【図１２】本発明の第２の実施形態に係るシステム構築装置の第２パートの概略構成を示した機能ブロック図である。
【図１３】従来技術によるシステム構築の例を示した説明図である。
【符号の説明】
１０　コンテンツ記述ツール群
１１　コンテンツ記述ツール
２０　主機能ツール群
２１　主機能ツール
３０　基底ツールセット群
３１　基底ツールセット
３２　基底ツール群
４０，６０　コンテンツ検索システム
５０　補助機能ツール群
５１　補助機能ツール
１００，３００　準備部
１０１，３０１　ツール分類部
１０２　基底ツールセット形成部
１０３　主機能ツール登録部
１０４　基底ツールセット登録部
２００，４００　構築部
２０１　主機能ツール選択部
２０２　基底ツールセット選択部
２０３，４０２　システム構築部
３０２　補助機能ツール登録部
４０１　補助機能ツール選択部
【図１】
2004046604.tif 000003
【図２】
2004046604.tif 000004
【図３】
2004046604.tif 000005
【図４】
2004046604.tif 000006
【図５】
2004046604.tif 000007
【図６】
2004046604.tif 000008
【図７】
2004046604.tif 000009
【図８】
2004046604.tif 000010
【図９】
2004046604.tif 000011
【図１０】
2004046604.tif 000012
【図１１】
2004046604.tif 000013
【図１２】
2004046604.tif 000014
【図１３】
2004046604.tif 000015